(57)【要約】      （修正有）【課題】快適な空調環境の実現を効率よく行うため、既存の汎用のサーモスタットを用いたインバータ制御の空調機を提供する。【解決手段】仲介装置４０ａ―４０ｃは、自己の温度センサで検知する第１室温値と、自己に設定された設定温度とに基づき接点の状態を動作状態であるＯＮまたは非動作状態であるＯＦＦに変化させる空調インターフェース３０ａ−３０ｃに接続され、空調機１０，２０ａ−２０ｃの制御部と空調インターフェースとを仲介する空調制御のための仲介装置４０ａ―４０ｃであって、サーモＯＮ状態およびサーモＯＦＦの状態の変化を把握する状態把握部と、検出された接点の状態に変化があった場合に、空調機で検知される第２室温値に基づいて目標温度値を決定する決定処理部と、接点の状態に変化がなく、かつ、空調機状態の変化が複数回把握された場合に、目標温度値を変更する変更処理部と、を備える。【選択図】図１
2009270790.tif 000002
【特許請求の範囲】
【請求項１】
自己の温度センサで検知する第１室温値と自己に設定された設定温度とに基づき接点の状態を動作状態であるＯＮまたは非動作状態であるＯＦＦに変化させる空調インターフェース（３０ａ−３０ｃ）に接続され、空調機（１０，２０ａ−２０ｃ）の制御部と前記空調インターフェースとを仲介する空調制御のための仲介装置（４０ａ―４０ｃ）であって、
前記接点の状態を検出する検出部（４３ａ）と、
サーモＯＮ状態およびサーモＯＦＦ状態のいずれかの状態である空調機状態の変化を把握する状態把握部（４３ｂ）と、
検出された前記接点の状態に変化があった場合に前記空調機で検知される第２室温値に基づいて、前記空調機を動作させる温度値である空調目標温度値を決定する決定処理部（４３１ｅ）と、
前記接点の状態に変化がなく、かつ、前記空調機状態の変化が複数回把握された場合に、前記空調目標温度値を変更する変更処理部（４３２ｅ）と、
を備える、
仲介装置。
【請求項２】
前記変更処理部は、前記接点がＯＮの状態で前記空調機状態がサーモＯＦＦ状態である第１の不一致の状態、あるいは、前記接点がＯＦＦの状態で前記空調機状態がサーモＯＮ状態である第２の不一致の状態、になった後に把握される前記空調機状態の変化の回数に基づいて、前記空調目標温度値を変更する、
請求項１に記載の仲介装置。
【請求項３】
前記変更処理部は、前記接点のＯＮの状態またはＯＦＦの状態に応じて、前記空調目標温度値を所定値増減させる、
請求項１または２に記載の仲介装置。
【請求項４】
前記決定処理部は、過去に検知された前記第２室温値と、新たに検知された前記第２室温値との平均値を空調目標温度値として決定する、
請求項１から３のいずれか一つに記載の仲介装置。
【請求項５】
前記接点の状態に変化がなく前記空調機状態の変化が把握される場合、前記空調機状態の変化が把握されるたびに、第１の状態および第２の状態を有するフラグの状態をいずれか一方に変化させるフラグ変更部（４３ｄ）をさらに備え、
前記変更処理部は、前記フラグが前記第１の状態から前記第２の状態に変化し、さらに、前記第１の状態に変化した場合、過去に検知された第２室温値に所定値を加算した値あるいは前記過去に検知された第２室温値から前記所定値を減算した値を前記空調目標温度値として決定する、
請求項１から４のいずれか一つに記載の仲介装置。
【請求項６】
請求項１に記載の仲介装置（４０ａ−４０ｃ）と、
前記仲介装置によって空調機の制御部との接続が仲介される空調インターフェース（３０ａ―３０ｃ）と、
前記仲介装置から送信される前記空調目標温度値に基づき空調制御を行う空調機（１０，２０ａ−２０ｃ）と、
を備える空調制御システム。
【請求項７】
前記仲介装置の制御部と、前記空調機の制御部とが前記空調機に含まれている、
請求項６に記載の空調制御システム。
【請求項８】
自己の温度センサで検知する第１室温値と自己に設定された設定温度とに基づき接点の状態を動作状態であるＯＮまたは非動作状態であるＯＦＦに変化させる空調インターフェース（３０ａ−３０ｃ）を利用して空調機（１０，２０ａ−２０ｃ）を制御するための空調制御方法であって、
前記接点の状態を検出する検出ステップと、
サーモＯＮ状態およびサーモＯＦＦ状態のいずれかの状態である空調機状態の変化を把握する把握ステップと、
検出された前記接点の状態に変化があった場合に前記空調機で検知される第２室温値に基づいて、前記空調機を動作させる温度値である空調目標温度値を決定する決定ステップと、
前記接点の状態に変化がなく、かつ、前記空調機状態の変化が複数回把握された場合に、前記空調目標温度値を変更する変更ステップと、
を備える、
空調制御方法。
【請求項９】
自己の温度センサで検知する第１室温値と自己に設定された設定温度とに基づき接点の状態を動作状態であるＯＮまたは非動作状態であるＯＦＦに変化させる空調インターフェース（３０ａ−３０ｃ）を利用して空調機（１０，２０ａ−２０ｃ）を制御するためにコンピュータに実行させるための空調制御プログラムであって、
前記接点の状態を検出する検出ステップと、
サーモＯＮ状態およびサーモＯＦＦ状態のいずれかの状態である空調機状態の変化を把握する把握ステップと、
検出された前記接点の状態に変化があった場合に前記空調機で検知される第２室温値に基づいて、前記空調機を動作させる温度値である空調目標温度値を決定する決定ステップと、
前記接点の状態に変化がなく、かつ、前記空調機状態の変化が複数回把握された場合に、前記空調目標温度値を変更する変更ステップと、
を備える、
空調制御プログラム。
【発明の詳細な説明】
【技術分野】
【０００１】
本発明は、空調制御の仲介装置、空調制御システム、空調制御方法および空調制御プログラムに関する。
【背景技術】
【０００２】
従来、特に米国の住宅またはオフィスビル等では、汎用のサーモスタットを空調機のマンマシンインターフェース（コントローラ）として利用することがデファクトスタンダードとなっており、当該サーモスタットを用いて、空調機とともに他の暖房用機器やファンを制御し、快適な空調環境を効率よく実現している（例えば、特許文献１）。また、米国の空調システムにおいては、空調機として、熱源となる圧縮機をオン・オフ制御するものが多く用いられており、サーモスタットは、入力された設定温度と室温値とを比較して、接点のオン・オフ制御を行うことで当該空調機を動作させる。
【０００３】
一方、最近では、圧縮機をきめ細かくインバータ制御する空調機も登場してきている。そのような空調機は、制御を行う際に設定温度値が必要となるため、設定温度値を出力できないサーモスタットではなく空調機専用のインターフェースを用意して、利用者がその空調機専用のインターフェースを用いて設定温度の入力をするように促している。
【特許文献１】特表平８−５０５４８５号
【発明の開示】
【発明が解決しようとする課題】
【０００４】
しかし、従来の空調システムにインバータ制御を行う最新の空調機を組み込んだ場合、サーモスタットに加えて空調機専用のインターフェースを使わなければならなくなり、利用者にとって煩雑である。また、従来の空調システムにインバータ制御を行う最新の空調機のみを導入した場合であっても、利用者は、従来から使い慣れているサーモスタットではなく、最新の空調機専用のインターフェースの操作方法を習得し、利用しなければならない。
【０００５】
そこで、本発明の課題は、快適な空調環境の実現を効率よく行うため、既存の汎用のサーモスタットを用いて新たに導入したインバータ制御の空調機を利用可能とする環境を提供することにある。
【課題を解決するための手段】
【０００６】
第１発明に係る仲介装置は、空調インターフェースに接続され、空調機の制御部と空調インターフェースとを仲介する空調制御のための仲介装置であって、検出部と、状態把握部と、決定処理部と、変更処理部とを備える。空調インターフェースは、自己の温度センサで検知する第１室温値と自己に設定された設定温度とに基づき接点の状態を動作状態であるＯＮまたは非動作状態であるＯＦＦに変化させる。検出部は、接点の状態を検出する。状態把握部は、空調機状態の変化を把握する。空調機状態は、サーモＯＮ状態およびサーモＯＦＦ状態のいずれかの状態である。サーモＯＮ状態とは、冷房運転および暖房運転を実施している状態である。一方、サーモＯＦＦ状態とは、冷房運転または暖房運転が停止した状態である。決定処理部は、検出された接点の状態に変化があった場合に空調機で検知される第２室温値に基づいて、空調機を動作させる温度値である空調目標温度値を決定する。空調機で検知される第２室温値とは、例えば、室内機に設けられた吸込み温度センサおよび吹出し温度センサ、その他室内機に接続されたリモコンの温度センサ等で検知された値である。変更処理部は、接点の状態に変化がなく、かつ、空調機状態の変化が複数回把握された場合に、空調目標温度値を変更する。
【０００７】
本発明に係る仲介装置では、空調インターフェースにおける接点の状態が検出される。空調機のサーモＯＮ状態またはサーモＯＦＦ状態のいずれかの状態である空調機状態の変化が把握される。接点の状態に変化があった場合に空調機で検知される第２室温値に基づいて空調機を動作させる温度値である空調目標温度値が決定される。接点の状態に変化が検出されず、空調機状態の変化が複数回把握された場合に、空調目標温度値が変更される。
【０００８】
これにより、既存の空調インターフェースを用いて運転に設定温度値を必要とする空調機を動作させることができる。
【０００９】
第２発明に係る仲介装置は、第１発明に係る仲介装置であって、変更処理部は、第１の不一致の状態あるいは第２の不一致の状態になった後に把握される空調機状態の変化の回数に基づいて空調目標温度値を変更する。第１の不一致の状態とは、接点がＯＮの状態で空調機状態がサーモＯＦＦ状態である。第２の不一致の状態とは、接点がＯＦＦの状態で空調機状態がサーモＯＮ状態である。
【００１０】
本発明に係る仲介装置では、接点の状態と空調機状態とが一致しない状態になった後に把握される空調機状態の変化の回数に基づいて、空調目標温度値が変更される。
【００１１】
これにより、空調インターフェースの状態に応じた処理を行うことができる。
【００１２】
第３発明に係る仲介装置は、第１または第２発明に係る仲介装置であって、変更処理部は、接点のＯＮの状態またはＯＦＦの状態に応じて、空調目標温度値を所定値増減させる。例えば、冷房運転中に接点がＯＮの状態の場合には、空調目標温度値を所定値下げ、接点がＯＦＦの状態の場合には、空調目標温度値を所定値上げる。また、例えば、暖房運転中に接点がＯＮの状態の場合には、空調目標温度値を所定値上げ、接点がＯＦＦの状態の場合には、空調目標温度値を所定値下げる。
【００１３】
本発明に係る仲介装置では、接点のＯＮの状態またはＯＦＦの状態に応じて、空調目標温度値が所定値増減させられる。
【００１４】
これにより、空調インターフェースの状態に応じて、適当な空調目標温度値を決定することができる。
【００１５】
第４発明に係る仲介装置は、第１から第３発明のいずれか一つに係る仲介装置であって、決定処理部は、過去に検知された第２室温値と、新たに検知された第２室温値との平均値を空調目標温度値として決定する。
【００１６】
本発明に係る仲介装置では、過去に検知された第２室温値と、新たに検知された第２室温値との平均値が空調目標温度値として決定される。
【００１７】
これにより、激しい温度変動を抑えた空調制御を行うことができる。
【００１８】
第５発明に係る仲介装置は、第１から第４発明のいずれか一つに係る仲介装置であって、フラグ変更部をさらに備える。フラグ変更部は、接点の状態に変化がなく空調機状態の変化が把握される場合、空調機状態の変化が把握されるたびに、フラグの状態を変化させる。フラグの状態には第１の状態および第２の状態が含まれ、フラグ変更部は、空調機状態の変化が把握されるたびにフラグの状態を第１の状態および第２の状態のいずれか一方の状態に変化する。また、変更処理部は、フラグが第１の状態から第２の状態に変化し、さらに、第１の状態に変化した場合、過去に検知された第２室温値に所定値を加算した値あるいは過去に検知された第２室温値から所定値を減算した値を空調目標温度値として決定する。
【００１９】
本発明に係る仲介装置では、接点の状態に変化がなく空調機状態の変化が把握される場合に、空調機状態の変化が把握されるたびにフラグの状態が変化される。さらに、フラグが第１の状態から第２の状態に変化し、さらに第１の状態に変化した場合に、過去に検知された第２室温値に所定値を加算した値あるいは過去に検知された第２室温値から所定値を減算した値が空調目標温度値としてさらに決定される。
【００２０】
これにより、空調目標温度値を変更することができる。
【００２１】
第６明に係る空調制御システムは、請求項１に記載の仲介装置と、空調インターフェースと、空調機とを備える空調制御システムであって、空調インターフェースは、仲介装置によって空調機の制御部との接続が仲介される。空調機は、仲介装置で決定される空調目標温度値に基づいて空調制御を行う。
【００２２】
本発明に係る空調制御システムでは、空調インターフェースにおける接点の状態が検出される。空調機のサーモＯＮ状態またはサーモＯＦＦ状態のいずれかの状態である空調機状態の変化が把握される。接点の状態に変化があった場合に空調機で検知される第２室温値に基づいて空調機を動作させる温度値である空調目標温度値が決定される。接点の状態に変化が検出されず、空調機状態の変化が複数回把握された場合に、空調目標温度値が変更される。
【００２３】
これにより、既存の空調インターフェースを用いて運転に設定温度値を必要とする空調機を動作させることができる。
【００２４】
第７発明に係る空調制御システムは、第６発明に係る空調制御システムであって、仲介装置の制御部と、前記空調機の制御部とが前記空調機に含まれている。
【００２５】
本発明に係る空調制御システムでは、空調機に、仲介装置の制御部と、空調機の制御部とが含まれる。
【００２６】
これにより、仲介装置を設置するための工数を省略することができる。
【００２７】
第８発明に係る空調制御方法は、空調インターフェースを利用して空調機を制御するための空調制御方法であって、検出ステップと、把握ステップと、決定ステップと、変更ステップとを備える。空調インターフェースは、自己の温度センサで検知する第１室温値と自己に設定された設定温度とに基づき接点の状態を動作状態であるＯＮまたは非動作状態であるＯＦＦに変化させる。検出ステップは、接点の状態を検出する。把握ステップは、サーモＯＮ状態およびサーモＯＦＦ状態のいずれかの状態である空調機状態の変化を把握する。決定ステップは、検出された接点の状態に変化があった場合に空調機で検知される第２室温値に基づいて、空調機を動作させる温度値である空調目標温度値を決定する。変更ステップは、接点の状態に変化がなく、かつ、空調機状態の変化が複数回把握された場合に、空調目標温度値を変更する。
【００２８】
本発明に係る空調制御方法では、空調インターフェースにおける接点の状態が検出される。空調機のサーモＯＮ状態またはサーモＯＦＦ状態のいずれかの状態である空調機状態の変化が把握される。接点の状態に変化があった場合に空調機で検知される第２室温値に基づいて空調機を動作させる温度値である空調目標温度値が決定される。接点の状態に変化が検出されず、空調機状態の変化が複数回把握された場合に、空調目標温度値が変更される。
【００２９】
これにより、既存の空調インターフェースを用いて運転に設定温度値を必要とする空調機を動作させることができる。
【００３０】
第９発明に係る空調制御プログラムは、空調インターフェースを利用して空調機を制御するためにコンピュータに実行させるための空調制御プログラムであって、検出ステップと、把握ステップと、決定ステップと、変更ステップとを備える。空調インターフェースは、自己の温度センサで検知する第１室温値と自己に設定された設定温度とに基づき接点の状態を動作状態であるＯＮまたは非動作状態であるＯＦＦに変化させる。検出ステップは、接点の状態を検出する。把握ステップは、サーモＯＮ状態およびサーモＯＦＦ状態のいずれかの状態である空調機状態の変化を把握する。決定ステップは、検出された接点の状態に変化があった場合に空調機で検知される第２室温値に基づいて、空調機を動作させる温度値である空調目標温度値を決定する。変更ステップは、接点の状態に変化がなく、かつ、空調機状態の変化が複数回把握された場合に、空調目標温度値を変更する。
【００３１】
本発明に係る空調制御プログラムでは、空調インターフェースにおける接点の状態が検出される。空調機のサーモＯＮ状態またはサーモＯＦＦ状態のいずれかの状態である空調機状態の変化が把握される。接点の状態に変化があった場合に空調機で検知される第２室温値に基づいて空調機を動作させる温度値である空調目標温度値が決定される。接点の状態に変化が検出されず、空調機状態の変化が複数回把握された場合に、空調目標温度値が変更される。
【００３２】
これにより、既存の空調インターフェースを用いて運転に設定温度値を必要とする空調機を動作させることができる。
【発明の効果】
【００３３】
第１発明に係る仲介装置では、既存の空調インターフェースを用いて運転に設定温度値を必要とする空調機を動作させることができる。
【００３４】
第２発明に係る仲介装置では、空調インターフェースの状態に応じた処理を行うことができる。
【００３５】
第３発明に係る仲介装置では、空調インターフェースの状態に応じて、適当な空調目標温度値を決定することができる。
【００３６】
第４発明に係る仲介装置では、激しい温度変動を抑えた空調制御を行うことができる。
【００３７】
第５発明に係る仲介装置では、空調目標温度値を変更することができる。
【００３８】
第６発明に係る空調制御システムでは、既存の空調インターフェースを用いて運転に設定温度値を必要とする空調機を動作させることができる。
【００３９】
第７発明に係る空調制御システムでは、仲介装置を設置するための工数を省略することができる。
【００４０】
第８発明に係る空調制御方法では、既存の空調インターフェースを用いて運転に設定温度値を必要とする空調機を動作させることができる。
【００４１】
第９発明に係る空調制御プログラムでは、既存の空調インターフェースを用いて運転に設定温度値を必要とする空調機を動作させることができる。
【発明を実施するための最良の形態】
【００４２】
≪第１実施形態≫
＜空調システムの全体構成＞
図１は、本発明の実施形態に係る空調システム１の構成を示す。この空調システム１は、例えば、住宅またはオフィスビル等の建物（物件）で用いられる空調システムであり、主として、室外機１０および室内機２０ａ−２０ｃからなる空調機と、空調制御のためのインターフェースとして用いる汎用のサーモスタット３０ａ−３０ｃと、仲介装置４０ａ−４０ｃと、から構成されている。
【００４３】
室外機１０と室内機２０ａ―２０ｃとは冷媒路８８および通信線８１を介して接続されている。また、室内機２０ａ−２０ｃは、通信線８２を介して仲介装置４０ａ−４０ｃと通信可能に接続されている。２種類の通信線８１および８２は、同一種類の通信線であっても、異なる種類の通信線であってもよい。さらに、仲介装置４０ａ−４０ｃは、サーモスタット３０ａ−３０ｃと制御線８３で接続されている。詳細には、図１に示すように、各室内機２０ａ―２０ｃに、仲介装置４０ａ−４０ｃおよびサーモスタット３０ａ−３０ｃが一対一で接続されている。本実施形態では、サーモスタット３０ａ−３０ｃは、仲介装置４０ａ−４０ｃを介して、それぞれに接続される室内機２０ａ−２０ｃの制御を行う。
【００４４】
＜各部の構成＞
（１）サーモスタット３０ａ−３０ｃの構成
まず、図２および図３を用いて、サーモスタット３０ａ−３０ｃについて説明する。図２は、サーモスタット３０ａ−３０ｃの表示部の一例を示す。サーモスタット３０ａ−３０ｃは、特に米国で、空調機、ガスファーネス、およびファン等のインターフェースとして多く用いられており、サーモスタット３０ａ−３０ｃに接続される機器のオン・オフ制御機能、温度設定機能、冷暖房の設定機能、除湿設定機能、ファンのオン・オフ設定機能等を有する。さらに、サーモスタット３０ａ−３０ｃは、接続される機器のスケジュール制御が可能である。図３は、サーモスタット３０ａ−３０ｃから出力される信号を示す表である。本実施形態では、後述する仲介装置４０ａ−４０ｃが、これらの信号を空調機の読み取り可能な信号に変換して空調機に送信する。
【００４５】
サーモスタット３０ａ−３０ｃは、設定温度の入力部と、室温を検知する温度センサとを有している。サーモスタット３０ａ−３０ｃは、設定温度と温度センサで検知された室温（第１室温値に相当）との関係で、接点をＯＮまたはＯＦＦに変化する。例えば、冷房運転モードで動作している場合、温度センサで検知される室温が設定温度よりも高くなった場合、接点はＯＮに設定され、温度センサで検知される室温が設定温度よりも低くなった場合は、接点はＯＦＦに設定される。反対に、暖房運転モードで動作している場合は、温度センサで検知される室温が設定温度よりも低くなった場合には、接点はＯＮに設定され、温度センサで検知される室温が設定温度よりも高くなった場合は、接点がＯＦＦに設定される。なお、本実施形態で用いるサーモスタット３０ａ−３０ｃは、ディファレンシャル温度の設定が可能であり、温度センサによって検知される室温がディファレンシャル温度を超えた場合に、接点がＯＮまたはＯＦＦに変化する。
【００４６】
（２）空調機の概略構成
次に、本実施形態の空調システム１に用いられる空調機について説明する。
【００４７】
本実施形態で用いられる空調機は、マルチタイプのヒートポンプ式空調機であり、室外機１０と、室内機２０ａ−２０ｃとが、冷媒路８８および通信線８１により接続されている。室内機２０ａ−２０ｃには、ケーシング内に吸込まれる室内空気の温度である吸込み温度値（第２室温値に相当）を検知する吸込み温度センサ２１ａ−２１ｃが設けられている。以下、室外機１０と、室内機２０ａとからなる空調機について説明するが、その他の室内機２０ｂ，２０ｃについても室内機２０ａと同様の構成であるものとする。
【００４８】
本実施形態に係る空調機は、設定温度値に応じて圧縮機の回転数と室内膨張弁の開度とを段階的に調整することで、室外機１０から室内機２０ａに送られる冷媒を流量調整する。また、室内機２０ａは、サーモＯＦＦおよびサーモＯＮの運転を自動的に繰り返し、室内環境が当該設定温度値の近傍で保たれるように制御される。ここで、サーモＯＦＦとは、冷房運転および暖房運転が停止した状態をいう。詳細には、冷媒を流さない送風のみの運転または冷媒を僅かに流す低負荷の運転が行われている状態をいう。一方、サーモＯＮとは、冷房運転または暖房運転を実施している状態をいう。詳細には、ファンを作動させ、さらに冷媒流量などを調整して、室内温度が設定温度に近づくにように運転している状態をいう。本実施形態に係る空調機の運転は、冷房運転時に吸込み温度値が設定温度値の１．０℃以下になった場合および暖房運転時に設定温度値の１．０℃以上になった場合、サーモＯＮからサーモＯＦＦに切り替わる。一方、冷房運転時に吸込み温度値が設定温度値の１．０℃以上になった場合および暖房運転時に設定温度値の１．０℃以下になった場合、空調機の運転は、サーモＯＦＦからサーモＯＮに切り替わる。
【００４９】
（３）仲介装置４０ａ−４０ｃの概略構成
次に、仲介装置４０ａ−４０ｃについて説明する。仲介装置４０ａ−４０ｃは、それぞれに接続される一つのサーモスタット３０ａ−３０ｃから入力される各種信号を空調機の読み取り可能な信号に変換し、変換した信号をそれぞれに接続された一つの室内機２０ａ−２０ｃに送信する。また、仲介装置４０ａ−４０ｃは、サーモスタット３０ａ−３０ｃから入力される信号および吸込み温度センサ２１ａ−２１ｃで検知される吸込み温度値等に基づいて空調目標温度値を決定し、当該空調目標温度値を設定温度値としてそれぞれに接続された室内機２０ａ−２０ｃに送信する。以下、図４Ａを用いて仲介装置４０ａの構成について説明するが、他の仲介装置４０ｂ、４０ｃも同様の構成であるものとする。
【００５０】
仲介装置４０ａは、主として、通信部４１と、記憶部４２と、制御部４３とを備える。
【００５１】
通信部４１は、入出力ポートからなり、サーモスタット３０ａおよび室内機２０ａからの各種信号を入力し、空調機に対し制御信号を出力する。
【００５２】
記憶部４２には、後述する空調目標温度値を決定するために用いられる制御プログラムが記憶されている。また、記憶部４２は、吸込み温度値記憶領域４２ａと、空調目標温度値記憶領域４２ｂとを有する。
【００５３】
吸込み温度値記憶領域４２ａには、後述する吸込み温度値取得部４３ｃに取得される吸込み温度値が記憶される。なお、本実施形態では、吸込み温度値記憶領域４２ａには、予め初期値として冷房運転モードの上限値（３２℃）および暖房運転モードの下限値（１６℃）が記憶されている。吸込み温度値記憶領域４２ａに記憶された値（記憶値Ｍ）は、吸込み温度値取得部４３ｃによって新たな吸込み温度値が取得されるたびに、当該新たな吸込み温度値によって上書きされる。
【００５４】
空調目標温度値記憶領域４２ｂには、後述する空調目標温度値決定部４３ｅによって空調目標温度値として決定された値であって、空調機に設定温度値として送信される値が記憶される。空調目標温度値記憶領域４２ｂに記憶された値（記憶値Ｓ）は、新たな空調目標温度値が決定されるたびに、当該新たな空調目標温度値によって上書きされる。
【００５５】
制御部４３は、ＣＰＵ等により構成されており、主として、検出部４３ａと、状態把握部４３ｂと、吸込み温度値取得部４３ｃと、フラグ変更部４３ｄと、空調目標温度値決定部４３ｅと、信号変換部４３ｆと、送信部４３ｇとを有する。
【００５６】
検出部４３ａは、仲介装置４０ａに接続されたサーモスタット３０ａの接点の状態を検出する。本実施形態では、Ｙ１（コンプレッサ）信号がＯＮまたはＯＦＦのいずれに設定された状態であるか、また、ＯＮまたはＯＦＦのいずれに変化したかが検出される。このとき、サーモスタット３０ａから出力されるＯ（冷房）信号およびＢ（暖房）信号に基づき、冷房運転モードおよび暖房運転モードが区別される。具体的には、冷房運転モードではＯ信号がＯＮであり、暖房運転モードではＢ信号がＯＮである。
【００５７】
状態把握部４３ｂは、室内機２０ａがサーモＯＮで動作している状態か、サーモＯＦＦで動作している状態かを示す信号（サーモ信号）を室内機２０ａから取得し、室内機２０ａの運転状態を把握する。
【００５８】
吸込み温度値取得部４３ｃは、Ｙ１信号の変化が検出された際に吸込み温度センサ２１ａで検知された吸込み温度値（第２室温値に相当）を室内機２０ａから取得する。なお、吸込み温度値取得部４３ｃによって取得された吸込み温度値は、上述の吸込み温度値記憶領域４２ａに上書きされていく。
【００５９】
フラグ変更部４３ｄは、Ｙ１信号および／またはサーモ信号の状態に応じてフラグを変更する。具体的に、フラグ変更部４３ｄが変更するフラグには、Ｙ１信号とサーモ信号との状態が一致する状態か否かに応じて状態を変える不一致フラグと、不一致フラグの動きに連動して状態を変える変更フラグと、変更フラグの動きに連動して状態を変える保持フラグとが含まれる。
【００６０】
図４Ｂは、不一致フラグ、変更フラグ、および保持フラグの変化するタイミングおよび条件をまとめた図である。図４Ｂに示すように、不一致フラグ、変更フラグ、および保持フラグには、それぞれＯＮ時フラグとＯＦＦ時フラグがあり、Ｙ１信号のＯＮまたはＯＦＦの状態に応じてＯＮ時フラグまたはＯＦＦ時フラグが用いられる。例えば、Ｙ１信号がＯＮの場合には、ＯＮ時不一致フラグと、ＯＮ時変更フラグと、ＯＮ時保持フラグが動作する。一方、Ｙ１信号がＯＦＦの場合には、ＯＦＦ時不一致フラグと、ＯＦＦ時変更フラグと、ＯＦＦ時保持フラグが動作する。
【００６１】
不一致フラグは、Ｙ１信号とサーモ信号との状態が不一致の状態になり、かつ、後述する変更フラグが０の場合に、１に変更され、その後サーモ信号の状態の変化が１回把握されると０に変更される。Ｙ１信号とサーモ信号との状態が不一致の状態とは、Ｙ１信号がＯＮでサーモ信号がサーモＯＦＦを示す場合、あるいは、Ｙ１信号がＯＦＦでサーモ信号がサーモＯＮを示す場合である。
【００６２】
変更フラグは、不一致フラグが１から０になるタイミングで、１に変更され、その後サーモ信号の変化が２回把握されると０に変更される。
【００６３】
保持フラグは、変更フラグが１から０になるタイミングで１に変更され、その後サーモ信号の変化が１回把握されると０に変更される。
【００６４】
より詳細に、図４Ｂを参照して、Ｙ１信号がＯＮ（１）の場合にフラグ変更部４３ｄによって変更されるフラグの動きを説明する。
【００６５】
ＯＮ時不一致フラグは、Ｙ１信号がＯＮで、かつ、ＯＮ時変更フラグが０の場合に、サーモ信号のＯＮからＯＦＦへの変化が把握されたタイミングで、０から１に変更する。その後、Ｙ１信号のＯＮの状態に変化がなく、サーモ信号のＯＦＦからＯＮへの変化が把握されると、ＯＮ時不一致フラグは１から０に変更される。さらに、Ｙ１信号の状態がＯＮからＯＦＦ（０）に変化した場合、ＯＮ時不一致フラグは１から０に変更される。
【００６６】
ＯＮ時変更フラグは、ＯＮ時不一致フラグが１の場合に、サーモ信号のＯＦＦからＯＮへの変化が把握されたタイミングで、０から１に変更される。その後、サーモ信号のＯＮからＯＦＦへの変化が把握されたタイミングで、ＯＮ時変更フラグは１から０に変更される。
【００６７】
ＯＮ時保持フラグは、ＯＮ時変更フラグが１の場合に、サーモ信号のＯＦＦからＯＮへの変化が把握されたタイミングで、０から１に変更される。その後、サーモ信号のＯＮからＯＦＦへの変化が把握されたタイミングで、ＯＮ時変更フラグは１から０に変更される。
【００６８】
空調目標温度値決定部４３ｅは、室内機２０ａを動作させるための空調目標温度値を決定する。具体的には、空調目標温度値決定部４３ｅは、接点（Ｙ１信号）の変化とサーモ信号の変化とに基づいて空調目標温度値を決定する。詳細には、空調目標温度値決定部４３ｅは、第１処理部４３１ｅ（決定処理部に相当）と、第２処理部４３２ｅ（変更処理部に相当）とを有する。
【００６９】
第１処理部４３１ｅは、Ｙ１信号の変化が検出されると、保持フラグ（ＯＮ時保持フラグまたはＯＦＦ時保持フラグ）がＯＦＦである事を条件に、Ｙ１信号の変化が検出された際に取得された吸込み温度値Ｔと、吸込み温度値記憶領域４２ａに記憶された記憶値Ｍとの平均値Ａを算出する。当該平均値Ａは、空調目標温度値記憶領域４２ｂに記憶された記憶値Ｓと比較された上で空調目標温度値として決定される。保持フラグ（ＯＮ時保持フラグまたはＯＦＦ時保持フラグ）がＯＮである場合には、第１処理部４３１ｅは、新たに平均値Ａを算出せず、空調目標温度値記憶領域４２ｂに記憶されている記憶値Ｓを継続して空調目標温度値として決定する。
【００７０】
第２処理部４３２ｅは、Ｙ１信号の変化が検出されず、かつ、サーモ信号の変化が複数回把握された場合に、空調目標温度値を変更する。ここで、Ｙ１信号の変化が検出されない場合とは、Ｙ１信号がＯＮまたはＯＦＦで安定している状態をいう。また、サーモ信号が複数回変化したことは、上記フラグの状態により判断される。本実施形態では、上記不一致フラグの１から０の変更に連動して変更フラグが１から０に変更されることでサーモ信号が複数回変化したものと判断される。
【００７１】
第２処理部４３２ｅは、変更フラグが１のとき、サーモ状態の２回目の変化タイミングで、空調目標温度値記憶領域４２ｂに記憶されている記憶値Ｓを増減させる。例えば、Ｙ１信号がＯＮの状態で安定しており、変更フラグが１に変更された後サーモ状態が２回変化すると、第２処理部４３２ｅは、空調目標温度値を記憶値Ｓから２℃減算した値（減算値）に変更し、当該減算値を空調目標温度値として決定する。さらに、Ｙ１信号がＯＦＦの状態で安定しており、変更フラグが１に変更された後サーモ状態が２回変化すると、第２処理部４３２ｅは、空調目標温度値を記憶値Ｓから２℃加算した値（加算値）に変更し、当該加算値を空調目標温度値として決定する。より詳細には、下記の＜空調機の制御方法＞の欄で説明する。
【００７２】
信号変換部４３ｆは、図３に示した、サーモスタット３０ａの出力信号を空調機の読み取り可能な信号に変換する。本実施形態では、信号Ｇ（ファン）は、運転／停止指令に変換され、その他の信号Ｂ（暖房），Ｗ１（ヒーター），Ｏ（冷房），Ｙ１（コンプレッサ），ＤＨＭ（除湿）は、それぞれの信号パターンから運転モード（冷房運転モード／暖房運転モード）が判断され、空調機の読み取り可能な運転モードの信号に変換される。
【００７３】
送信部４３ｇは、上述の通信部４１を介して、信号変換部４３ｆによって変換された信号および室内機２０ａの空調停止命令等を室内機２０ａに送信する。また、送信部４３ｇは、空調目標温度値として決定された値であって、空調目標温度値記憶領域４２ｂに記憶された記憶値Ｓを設定温度値として室内機２０ａに送信する。
【００７４】
＜空調機の制御方法＞
以下、図５から図１１を参照して、仲介装置４０ａ−４０ｃによる空調機の冷房運転時の制御方法を詳細に説明する。なお、以下の説明では、サーモスタット３０ａおよび仲介装置４０ａを用いて、室内機２０ａを制御する際の制御方法を説明するが、サーモスタット３０ｂおよび仲介装置４０ｂを用いて室内機２０ｂを制御する場合、およびサーモスタット３０ｃおよび仲介装置４０ｃを用いて室内機２０ｃを制御する場合も同様であるものとする。
【００７５】
（１）処理の流れ
初めに、図５から図７を用いて、仲介装置４０ａの処理の流れについて説明する。
【００７６】
まず、ステップＳ１０１でＹ１信号が変化したか否かが判断される。ステップＳ１０１でＹ１信号が変化した場合には、ステップＳ１０２に進む。ステップＳ１０１でＹ１信号が変化しなかった場合には、ステップＳ１１１に進む。
【００７７】
ステップＳ１０２では、ＯＮ時保持フラグまたはＯＦＦ時保持フラグが１か否かが判断される。ステップＳ１０２で、ＯＮ時保持フラグまたはＯＦＦ時保持フラグが１の場合には、ステップＳ１０３に進み、フラグ変更部４３ｄによって、ＯＮ時保持フラグまたはＯＦＦ時保持フラグが０にされた後、ステップＳ１０９に進む。
【００７８】
ステップＳ１０２で、ＯＮ時保持フラグまたはＯＦＦ時保持フラグが１ではなかった場合、ステップＳ１０４に進み、空調目標温度値決定部４３ｅによって、吸込み温度値記憶領域４２ａに記憶されている記憶値Ｍと今回の吸込み温度値Ｔとの平均値Ａが算出される。その後、ステップＳ１０５に進み、空調目標温度値記憶領域４２ｂに記憶値Ｓがあるか否かが判断される。ステップＳ１０５において、記憶値Ｓがあると判断された場合には、ステップＳ１０６に進み、ステップＳ１０４で算出された平均値Ａと記憶値Ｓとの差が０．５℃以内か否かが判断される。ステップＳ１０５において記憶値Ｓがない場合には、ステップＳ１０７に進む。
【００７９】
ステップＳ１０６で、平均値Ａと記憶値Ｓとの差が０．５℃以内である場合には、ステップＳ１０８に進む。一方、ステップＳ１０６で、平均値Ａと記憶値Ｓとの差が０．５℃以内でない場合には、ステップＳ１０７に進む。ステップＳ１０７では、平均値Ａが空調目標温度値記憶領域４２ｂに記憶され、その後、ステップＳ１０８において、送信部４３ｇによって記憶値Ｓが設定温度値として空調機に指令される。その後、ステップＳ１０９で今回の吸込み温度値Ｔが吸込み温度値記憶領域４２ｂに記憶される。
【００８０】
次に、ステップＳ１１０に進み、Ｙ１信号の変化が検出されたか否かが判断される。ステップＳ１１０で、Ｙ１信号の変化が検出された場合には、ステップＳ１０２に戻る。ステップＳ１１０で、Ｙ１信号の変化が検出されなかった場合には、ステップＳ１１１に進み、Ｙ１信号が１か否かが判断される。
【００８１】
ステップＳ１１１において、Ｙ１信号が１である場合、ステップＳ１１２に進む。ステップＳ１１２では、サーモ信号の状態が変化したかどうかが判断される。ステップＳ１１２で、サーモ信号の状態が変化したと判断された場合には、ステップＳ１１４に進み、サーモ信号の状態が変化しなかったと判断された場合には、ステップＳ１１０に戻る。
【００８２】
ステップＳ１１４では、サーモ信号の状態がサーモＯＮであるか否かが判断される。ステップＳ１１４で、サーモ信号がサーモＯＮであった場合には、ステップＳ１１７に進み、サーモ信号がサーモＯＦＦであった場合には、ステップＳ１１５に進む。
【００８３】
ステップＳ１１５では、ＯＮ時変更フラグが０か否かが判断される。ステップＳ１１５で、ＯＮ時変更フラグが０であった場合には、ステップＳ１１６に進む。ステップＳ１１６で、フラグ変更部４３ｄによってＯＮ時不一致フラグが１に変更される。また、ＯＮ時保持フラグが０にされる。その後ステップＳ１１０に進む。ステップＳ１１５で、ＯＮ時変更フラグが０でなかった場合にも、ステップＳ１１０に進む。
【００８４】
ステップＳ１１７では、ＯＮ時変更フラグが１か否かが判断される。ステップＳ１１７で、ＯＮ時変更フラグが１でなかった場合には、ステップＳ１２０に進む。ステップＳ１１７で、ＯＮ時変更フラグが１であった場合には、ステップＳ１１８に進む。ステップＳ１１８では、フラグ変更部４３ｄによってＯＮ時変更フラグが０に変更され、また、ＯＮ時保持フラグが１に変更される。さらに、空調目標温度値記憶領域４２ｂに記憶されている記憶値Ｓから２℃減じた値を記憶値Ｓとする。次に、ステップＳ１１９に進み、記憶値Ｓが設定温度値として空調機に指令される。その後、ステップＳ１１０に進む。
【００８５】
ステップＳ１２０では、ＯＮ時不一致フラグが１か否かが判断される。ステップＳ１２０で、ＯＮ時不一致フラグが１である場合には、ステップＳ１２１に進む。ステップＳ１２１では、フラグ変更部４３ｄによって、ＯＮ時不一致フラグが０に変更され、また、ＯＮ時変更フラグが１に変更される。その後、ステップＳ１１０に進む。ステップＳ１２０でＯＮ時不一致フラグが１でない場合には、ステップＳ１１０に進む。
【００８６】
一方、ステップＳ１１１において、Ｙ１信号が１でなかった場合には、ステップＳ１１３に進む。ステップＳ１１３では、サーモ信号の状態が変化したか否かが判断される。ステップＳ１１３で、サーモ信号が変化したと判断された場合には、ステップＳ１２２に進む。ステップＳ１１３においてサーモ状態が変化しなかったと判断された場合には、ステップＳ１１０に戻る。
【００８７】
ステップＳ１２２では、サーモ信号の状態がサーモＯＦＦであるか否かが判断される。ステップＳ１２２で、サーモ信号がサーモＯＦＦであった場合には、ステップＳ１２５に進み、サーモ信号がサーモＯＮであった場合には、ステップＳ１２３に進む。
【００８８】
ステップＳ１２３では、ＯＦＦ時変更フラグが０か否かが判断される。ステップＳ１２３で、ＯＦＦ時変更フラグが０であった場合には、ステップＳ１２４に進む。ステップＳ１２４では、フラグ変更部４３ｄによってＯＦＦ時不一致フラグが１に変更される。また、ＯＦＦ時保持フラグが０にされる。その後ステップＳ１１０に進む。ステップＳ１２３で、ＯＦＦ時変更フラグが０でなかった場合にも、ステップＳ１１０に進む。
【００８９】
ステップＳ１２５では、ＯＦＦ時変更フラグが１か否かが判断される。ステップＳ１２５で、ＯＦＦ時変更フラグが１でなかった場合には、ステップＳ１２８に進む。ステップＳ１２５で、ＯＦＦ時変更フラグが１であった場合には、ステップＳ１２６に進む。ステップＳ１２６では、フラグ変更部４３ｄによってＯＦＦ時変更フラグが０に変更され、また、ＯＦＦ時保持フラグが１に変更される。さらに、空調目標温度値記憶領域４２ｂに記憶されている記憶値Ｓに２℃加算した値を記憶値Ｓとする。次に、ステップＳ１２７に進み、記憶値Ｓが設定温度値として空調機に指令される。その後、ステップＳ１１０に進む。
【００９０】
ステップＳ１２８では、ＯＦＦ時不一致フラグが１か否かが判断される。ステップＳ１２８で、ＯＦＦ時不一致フラグが１である場合には、ステップＳ１２９に進む。ステップＳ１２９では、フラグ変更部４３ｄによって、ＯＦＦ時不一致フラグが０に変更され、また、ＯＦＦ時変更フラグが１に変更される。その後、ステップＳ１１０に進む。ステップＳ１２８でＯＦＦ時不一致フラグが１でない場合にも、ステップＳ１１０に進む。
【００９１】
（２）タイミングチャート
図８から図１１は、冷房運転時のタイミングチャートである。図８から図１１には、サーモスタット３０ａで検知される室温（第１室温値に相当）、サーモスタット３０ａの設定温度、Ｙ１信号のＯＮ／ＯＦＦ状態、吸込み温度センサ２１ａで検知される吸込み温度値（第２室温値に相当）、吸込み温度値記憶領域４２ａに記憶された吸込み温度値である記憶値Ｍ、仲介装置４０ａから室内機２０ａに設定温度値として送信される空調目標温度値、およびサーモ信号のサーモＯＮ／サーモＯＦＦ状態が示されている。さらに、Ｙ１信号とサーモ信号との関係で動作する不一致フラグ、変更フラグ、および保持フラグの状態が示されている。
【００９２】
図８および図９は、サーモスタット３０ａにおける設定温度が一定である場合の制御を示す。なお、図８は、Ｙ１信号がＯＮで安定した状況でサーモ信号が変化した場合を示し、図９は、Ｙ１信号がＯＦＦで安定した状況でサーモ信号が変化した場合を示す。図１０は、設定温度が下降した場合の制御を示し、図１１は、設定温度が上昇した場合の制御を示す。
【００９３】
図８から図１１に示すように、Ｙ１信号の状態とサーモ信号の状態とが不一致になった場合、不一致フラグが１にされる（破線８０１，９０１，１００１，１１０１参照）。ここで、Ｙ１信号がＯＮで安定している場合には、ＯＮ時不一致フラグが１にされ、ＯＦＦで安定している場合には、ＯＦＦ時不一致フラグが１にされる。さらに、ＯＮ時およびＯＦＦ時不一致フラグは、その後サーモ信号の状態の変化が検出されると、フラグ変更部４３ｄによって０に変更される（破線８０２，９０２，１００２，１１０２参照）。
【００９４】
不一致フラグが１のとき、サーモ信号が変化すると、変更フラグは１にされる。ここでも、Ｙ１信号がＯＮで安定している場合には、ＯＮ時変更フラグが１にされ、ＯＦＦで安定している場合には、ＯＦＦ時変更フラグが１にされる。変更フラグは、その後サーモ信号の状態の変化が２回検出されると、０に変更される（破線８０３，９０３，１００３，１１０３参照）。
【００９５】
変更フラグが０に変更されると、保持フラグが１に変更される。ここでも、Ｙ１信号がＯＮで安定している場合には、ＯＮ時保持フラグが１にされ、ＯＦＦで安定している場合には、ＯＦＦ時保持フラグが１にされる。その後サーモ信号の状態の変化が把握されると、保持フラグは０に変更される（破線８０４，９０４，１００４，１１０４参照）。
【００９６】
空調目標温度値決定部４３ｅは、上述の変更フラグが０の状態で、Ｙ１信号の変化が検出された場合に、記憶値Ｍと吸込み温度値Ｔとの平均値Ａを算出する。また、ここで、先に設定温度値として空調機に指令された空調目標温度値である記憶値Ｓと平均値Ａとが比較され、平均値Ａと記憶値Ｓとの差が０．５℃以上であった場合に限り、新たに算出された平均値Ａが空調目標温度値として決定される。
【００９７】
さらに、空調目標温度値決定部４３ｅは、変更フラグが１のとき、サーモ状態の２回目の変化が把握されるタイミングで記憶値Ｓに所定温度（本実施形態では２℃）を加算あるいは減算し、新たな空調目標温度値を決定する。
【００９８】
さらに、空調目標温度値決定部４３ｅは、保持フラグが１の状態でＹ１信号の変化を検出した場合には、記憶値Ｓを空調目標温度値として維持する。
【００９９】
＜特徴＞
（１）本実施形態に係る空調システム１において、仲介装置４０ａ−４０ｃはサーモスタット３０ａ−３０ｃから出力される制御信号を空調機の読み取り可能な信号に変換する。また、仲介装置４０ａ−４０ｃは、サーモスタット３０ａ−３０ｃから入力される信号および空調機で検知される吸込み温度値に基づいてサーモスタット３０ａ−３０ｃで設定された温度の近似値である空調目標温度値を決定する。当該空調目標温度値が設定温度値として空調機に送信されるため、サーモスタット３０ａ−３０ｃを用いて運転に設定温度値が必要な空調機を動作させることができる。これにより、インバータ制御を行う空調機を新たに導入する場合であっても、従来から使用する空調インターフェースとしてのサーモスタット３０ａ−３０ｃを新たな空調機のインターフェースとして継続して用いることができる。
【０１００】
また、米国では、地下室等にガスファーネスユニットおよびファンユニットを備える補助ユニットを配置する住宅等もある。ガスファーネスユニットは、主として、ガスの燃焼を行うガスファーネスと、その燃焼量を制御するガスファーネスコントローラとから構成されており、ファンユニットは、主として、シロッコファン等のファンと、ファンコントローラとから構成されている。このガスファーネスユニットおよびファンユニットは、サーモスタット３０ａ−３０ｃを用いて制御され、補助ユニット内の空気を過熱し、室内に送り出すことで、室内の空調制御を行っている。本実施形態に係る仲介装置４０ａ−４０ｃを空調システム１に導入することにより、既存のサーモスタット３０ａ−３０ｃを用いて、インバータ制御を行う最新の空調機とガスファーネスユニットおよびファンユニットとの双方を制御することができる。したがって、ユーザに新たな空調インターフェースの操作方法の習得を強いることなく、従来の空調インターフェースを使用したまま、効率の良い空調制御を行うことができる。
【０１０１】
（２）サーモスタット３０ａ−３０ｃは種類によって出力信号も多様であるが、本実施形態に係る仲介装置４０ａ−４０ｃは、サーモスタット３０ａ−３０ｃから出力される基本的な信号を用いて設定温度値の代替となる空調目標温度値を決定するため、大部分のサーモスタット３０ａ−３０ｃに適用することができる。
【０１０２】
（３）本実施形態に係る仲介装置４０ａ−４０ｃは、Ｙ１信号が安定している状態でサーモ信号が複数回変化した場合に、サーモスタット３０ａ−３０ｃで設定されている温度と、室内機２０ａ−２０ｃに設定温度値として送信された空調目標温度値とが一致していないものと判断して、その時のＹ１信号のＯＮまたはＯＦＦの状態に応じて空調目標温度値を所定温度（本実施形態では２℃）増減させる。これにより、サーモスタット３０ａ−３０ｃで設定温度の変更があった場合にも、適宜、空調目標温度値をサーモスタット３０ａ−３０ｃに設定された温度の近似値に変更することができる。
【０１０３】
（４）本実施形態においては、空調目標温度値決定部４３ｅが平均値Ａを算出すると、空調目標温度値記憶領域４２ｂに記憶された記憶値Ｓと平均値Ａとを比較し、その差が０．５℃を越えていた場合に限り、新たに算出された平均値Ａを空調目標温度値として決定し、当該空調目標温度値を室内機２０ａ−２０ｃの制御に用いるように設計されている。これにより、室内機２０ａ−２０ｃにおいて頻繁に温度を変更する必要がないため、空調機の処理負荷を抑えることができる。
【０１０４】
＜変形例＞
（１）本実施形態では、マルチタイプのヒートポンプ式空調機を用いたが、シングルタイプのヒートポンプ式空調機を用いても構わない。また、ヒートポンプ式空調機に限らず、インバータ制御される空調機であれば、その他の空調機にも適用できる。
【０１０５】
（２）本実施形態では冷房運転を例に挙げていたが、暖房運転においても同様に適用できる。上述したように、冷房運転モードおよび暖房運転モードの区別は、Ｏ信号およびＢ信号のいずれがＯＮになっているかで判断される。
【０１０６】
また、設定を変更することにより、暖房運転モードで用いる信号を、サーモスタット３０ａ−３０ｃのコンプレッサ信号（Ｙ１）の代わりに、ヒーターの制御信号（Ｗ１）にすることもできる。すなわち、冷房運転モードではＹ１信号が用いられ、暖房運転モードではＷ１信号が用いられる。
【０１０７】
さらに、図３に示すような、他の出力信号を用いて空調目標温度値を決定しても構わない。
【０１０８】
（３）本実施形態に係る空調システムにおいて、室内機２０ａ―２０ｃのそれぞれが、個別のリモコンを備えていてもよい。室内機２０ａ―２０ｃにリモコンが設定された場合は、室内機２０ａ―２０ｃの制御がサーモスタット３０ａ−３０ｃからの出力信号に基づく空調目標温度値および個別のリモコンで入力された設定温度値のいずれか一方を選択できるようにしてもよい。これにより、快適な空調環境の実現を柔軟に行うことができる。
【０１０９】
（４）本実施形態に係る方法で決定した空調目標温度値を補正し、補正後の値に基づいて空調機が動作するように設計しても構わない。例えば、Ｙ１信号の変化が検出された際に取得された吸込み温度値Ｔと、吸込み温度値記憶領域４２ａに記憶された記憶値Ｍとの平均値Ａを算出し、平均値Ａに所定温度を加算した値、あるいは平均値Ａから所定温度を減算した値を空調目標温度値とし、空調目標温度値記憶領域４２ｂに記憶されている記憶値Ｓと比較してもよい。
【０１１０】
（５）本実施形態において、空調目標温度値記憶領域４２ｂに記憶されている値（記憶値Ｓ）があるか否かを判断しているが、予め初期値（例えば、０）を与えておき、記憶値Ｓが初期値（例えば、０）に等しいかどうかを判定してもよい。
【０１１１】
（６）本実施形態では、仲介装置４０ａ−４０ｃにおいて、摂氏（℃）を用いて空調目標温度値の決定等を行っているが、摂氏に代えて華氏（°Ｆ）を用いても構わない。
【０１１２】
（７）本実施形態に係る空調システム１では、仲介装置４０ａ−４０ｃは、室内機２０ａ―２０ｃが検知する吸込み温度値Ｔを用いて空調目標温度値を決定したが、仲介装置４０ａ−４０ｃは、吸込み温度値の代わりに、室内機２０ａ―２０ｃが把握する他の温度センサで得られた値を用いて空調目標温度値を決定することもできる。例えば、室内機２０ａ―２０ｃの吹出し温度センサや、室内機２０ａ―２０ｃのそれぞれに接続されたリモコンの温度センサ、室内機２０ａ―２０ｃの本体からそれぞれ延長して設けた温度センサであるリモートセンサ等によって得られた値を用いることによっても空調目標温度を決定することができる。
【０１１３】
（８）仲介装置４０ａ−４０ｃは、タイマー部をさらに備えていてもよい。タイマー部は、サーモスタット３０ａ−３０ｃのＹ１信号の変化が検出された後の経過時間をカウントするように設定する。具体的には、タイマー部が、サーモスタット３０ａ−３０ｃのＹ１信号の変化が検出された時点から開始する経過時間をカウントするように設定する。これにより、検出部４３ａが検出するＹ１信号の状態が所定時間変化しない場合には、第２処理部４３２ｅによって空調目標温度値を変更するように設計することができる。これにより、ユーザによって設定温度が変更された場合にも、比較的早期に、ユーザの所望する室内環境を提供することができる。
【０１１４】
（９）本実施形態では、複数のサーモスタット３０ａ−３０ｃおよび複数の仲介装置４０ａ−４０ｃが室内機２０ａ―２０ｃと一対一で接続され、仲介装置４０ａ−４０ｃで変換されたサーモスタット３０ａ−３０ｃからの制御信号が、それぞれに接続される一台の室内機２０ａ―２０ｃに送信されることにより個別空調を行っているが、図１２に示すように、サーモスタット３０および仲介装置４０が、物件内にそれぞれ一台設置され、サーモスタット３０からの制御信号が仲介装置４０で変換され、変換された制御信号が室内機２０ａ―２０ｃに送信されてもよい。この場合には、サーモスタット３０を用いて複数の室内機２０ａ―２０ｃの集中制御を行うことができる。さらに、物件内にサーモスタット３０および仲介装置４０がそれぞれ一台設けられる空調システムにおいて、図１３に示すように、サーモスタット３０からの制御信号が仲介装置４０で変換され、変換された制御信号が室外機１０に送信されてもよい。この場合にも、サーモスタット３０を用いて複数の室内機２０ａ―２０ｃの集中制御を行うことができる。なお、１台のサーモスタット３０で複数台の室内機２０ａ−２０ｃを制御する場合は、代表機として設定した室内機のサーモ信号を、室内機２０ａ−２０ｃのサーモ信号として取得する。
【０１１５】
（１０）さらに、本実施形態に係る仲介装置４０ａ−４０ｃは、空調機と別体の構成であったが、仲介装置の構成が空調機内に設けられる構成であってもよい。これによっても既存のインターフェースである汎用のサーモスタットを用いてインバータ制御を行う空調機を制御させることができる。
【０１１６】
≪他の実施形態≫
以上、本発明の実施形態について図面に基づいて説明したが、具体的な構成は、これらの実施形態に限られるものではなく、発明の要旨を逸脱しない範囲で変更可能である。
【産業上の利用可能性】
【０１１７】
本発明は、快適な空調環境の実現を効率よく行うため、既存の汎用のサーモスタットを用いて新たに導入したインバータ制御の空調機を利用可能とする環境を提供するという効果を有し、空調制御の仲介装置、空調制御システム、空調制御方法および空調制御プログラムとして有用である。
【図面の簡単な説明】
【０１１８】
【図１】本実施形態に係る空調制御システムの概観図である。
【図２】本実施形態に係るサーモスタットの例である。
【図３】本実施形態に係るサーモスタットから出力される制御信号を示す図である。
【図４Ａ】本実施形態に係る仲介装置の概略構成図である。
【図４Ｂ】不一致フラグ、変更フラグ、および保持フラグの変化するタイミングおよび条件をまとめた図である。
【図５】本実施形態に係る空調機の制御方法を示す図である。
【図６】本実施形態に係る空調機の制御方法を示す図である。
【図７】本実施形態に係る空調機の制御方法を示す図である。
【図８】冷房運転時のタイミングチャートを示す図である。
【図９】冷房運転時のタイミングチャートを示す図である。
【図１０】冷房運転時のタイミングチャートを示す図である。
【図１１】冷房運転時のタイミングチャートを示す図である。
【図１２】本実施形態の変形例（９）に係る空調制御システムの外観図である。
【図１３】本実施形態の変形例（９）に係る空調制御システムの外観図である。
【符号の説明】
【０１１９】
１    空調制御システム
１０    室外機
２０ａ−２０ｃ    室内機
３０ａ−３０ｃ    サーモスタット（空調インターフェース）
４０ａ−４０ｃ    仲介装置
８１，８２    通信線
８３    制御線
８８    冷媒路
【図１】
2009270790.tif 000003
【図２】
2009270790.tif 000004
【図３】
2009270790.tif 000005
【図４Ａ】
2009270790.tif 000006
【図４Ｂ】
2009270790.tif 000007
【図５】
2009270790.tif 000008
【図６】
2009270790.tif 000009
【図７】
2009270790.tif 000010
【図８】
2009270790.tif 000011
【図９】
2009270790.tif 000012
【図１０】
2009270790.tif 000013
【図１１】
2009270790.tif 000014
【図１２】
2009270790.tif 000015
【図１３】
2009270790.tif 000016